(57)【要約】【課題】  宅内に設置された電気機器を遠隔制御する場合、制御システムにおいては、安全性と利便性の両立が困難である。【解決手段】  本発明の遠隔制御装置は、制御対象機器と赤外線通信を行う赤外線送受信部と、制御対象機器に関する制御信号データを制御対象機器への制御内容と関連付けて記憶する学習データ記憶部と、ユーザがアクセスするＷＥＢページを提供するＷＷＷサーバと、を備え、ＷＷＷサーバは、アクセスを許可する電子証明書の所有が確認された場合にのみ所定のＷＥＢページへのアクセスを許可し、所定のＷＥＢページへのログインが成功した場合に遠隔制御機能を有効化し、赤外線送受信部は、選択された遠隔制御機能の制御内容に対応する制御信号データを、制御対象機器に送信し、ＷＷＷサーバと赤外線送受信部が、内部バスで接続されている。【選択図】      図１
2015142315.tif 000002
【特許請求の範囲】
【請求項１】
制御対象機器と赤外線通信を行う赤外線送受信部と、
前記制御対象機器に関する制御信号データを前記制御対象機器への制御内容と関連付けて記憶する学習データ記憶部と、
ユーザがアクセスするＷＥＢページを提供するＷＷＷサーバと、
を備え、
前記ＷＷＷサーバは、
前記アクセスを許可する電子証明書の所有が確認された場合にのみ所定のＷＥＢページへのアクセスを許可し、
前記所定のＷＥＢページへのログインが成功した場合に遠隔制御機能を有効化し、
前記赤外線送受信部は、
選択された前記遠隔制御機能の制御内容に対応する前記制御信号データを、
前記制御対象機器に送信し、
前記ＷＷＷサーバと前記赤外線送受信部が、内部バスで接続されている
ことを特徴とする遠隔制御装置。
【請求項２】
前記遠隔制御機能の有効化とは、前記制御内容の一覧表示を含むことを特徴とする請求項１に記載の遠隔制御装置。
【請求項３】
前記電子証明書を作成する証明書制御部をさらに備え、
前記ＷＷＷサーバは、
所定のＷＥＢページに要求された前記電子証明書作成を受け付け、
前記証明書制御部が作成した電子証明書を取得させ、
前記電子証明書を取得した端末に前記電子証明書をインストールさせる
ことを特徴とする請求項１または２に記載の遠隔制御装置。
【請求項４】
前記赤外線送受信部は、近距離通信制御部,赤外線発信部,赤外線受信部を含み、
前記近距離通信制御部は、対応する制御信号を生成する機能を備える
ことを特徴とする請求項１から３のいずれか１項に記載の遠隔制御装置。
【請求項５】
ユーザ設定記憶部は、制御履歴および登録された制御内容を表すユーザ登録制御情報を記憶する
ことを特徴とする請求項１から４のいずれか１項に記載の遠隔制御装置。
【請求項６】
前記制御信号データが、前記制御対象機器に送信された場合に、予め設定された宛先に前記制御内容を送信するメール送信部
をさらに備える
ことを特徴とする請求項１から５のいずれか１項に記載した遠隔制御装置。
【請求項７】
前記制御対象機器を識別する情報及び制御内容と制御信号との対応関係を表す機器データを記憶する機器データ記憶部
を備えることを特徴とする請求項１から６のいずれか１項に記載した遠隔制御装置。
【請求項８】
前記ＷＷＷサーバは、前記遠隔制御機能が未登録の場合に前記機器データの中から所定の制御信号の選択または赤外線の学習を行う
ことを特徴とする請求項１から７のいずれか1項に記載した遠隔制御装置。
【請求項９】
請求項１に記載の遠隔制御装置と、前記制御対象機器と、前記電子証明書を取得した端末、
とを備えることを特徴とする遠隔制御システム。
【請求項１０】
制御対象機器と赤外線通信を行い、
前記制御対象機器に関する制御信号データを前記制御対象機器への制御内容と関連付けて記憶し、
ユーザがアクセスするＷＥＢページを提供し、
前記アクセスを許可する電子証明書の所有が確認された場合にのみ所定のＷＥＢページへのアクセスを許可し、
前記所定のＷＥＢページへのログインが成功した場合に遠隔制御機能を有効化し、
選択された前記遠隔制御機能の制御内容に対応する前記制御信号データを、前記制御対象機器に送信する、
遠隔制御方法。
【発明の詳細な説明】
【技術分野】
【０００１】
本発明は、電気機器の遠隔制御装置、遠隔制御システム及び遠隔制御方法に関し、特に宅用電気機器の遠隔制御装置、遠隔制御システム及び遠隔制御方法に関する。
【背景技術】
【０００２】
近年、宅内に設置された電気機器を外出先などから遠隔制御する、あるいは、宅内で遠隔操作する技術の検討が進んでいる。遠隔制御技術によって電気機器の所定の機能の有効／無効化を離れた場所からできるようになる。それだけにとどまらず、家電機器の状態や情報の確認もできるなどさまざまな用途が考案され、技術の発展が期待されている。例えば、宅内に専用の遠隔制御装置を設置し、家電製品等に接続、または内蔵した受信機にて制御信号を受信して、家電を制御する構成のシステムがある。また、家電そのものをネットワーク接続し、ネットワークを通じて専用のプロトコルで家電を制御する構成のシステムも知られている。
【０００３】
このような遠隔制御システムに用いられる遠隔制御装置の一例が特許文献１に記載されている。特許文献１によれば、家電製品の制御を、電子メールのコマンド等で制御するものではなく、ＷＥＢブラウザ機能を利用するものである。ブラウザ上で、機器や機能を選択できるため、複雑な操作が不要とされている。
【０００４】
また、特許文献２に別の関連する遠隔制御装置が記載されている。特許文献２によれば、関連する遠隔制御装置は、動作に必要な情報を管理するサービス管理サーバを必要とするものである。そして、サービス管理サーバは、ユーザの管理を行い、第３者はサービスを利用できないとしている。
【先行技術文献】
【特許文献】
【０００５】
【特許文献１】特開２００５-２３６４１７号公報
【特許文献２】特開２００２-１５２８５６号公報
【発明の概要】
【発明が解決しようとする課題】
【０００６】
しかしながら、上述した特許文献には以下に述べるような問題があった。最初に、特許文献１の関連する遠隔制御装置は、家電製品の制御を対話形式等で入力する等の簡易な制御である。そのため、第３者が制御するのも容易となり、セキュリティ上の問題があった。つまり、利便性は改善したが、安全性が確保できていなかった。
【０００７】
また、特許文献２の関連する遠隔制御装置は、ユーザはサービス管理サーバを提供するサービス事業者に対し、電子機器遠隔制御サービスを受けるための加入手続きが必要であった。このため、サービスを利用することが容易ではなかった。つまり、安全性は改善できたものの、利便性が確保できていなかった。
【０００８】
このように、上述した関連する遠隔制御装置においては、安全性と利便性の両立が困難であるという課題があった。
【０００９】
本発明の目的は、上述した課題を解決する、容易かつ安全に遠隔制御を実行できる遠隔制御システムを提供することにある。
【課題を解決するための手段】
【００１０】
本発明の遠隔制御装置は、制御対象機器と赤外線通信を行う赤外線送受信部と、制御対象機器に関する制御信号データを前記制御対象機器への制御内容と関連付けて記憶する学習データ記憶部と、ユーザがアクセスするＷＥＢページを提供するＷＷＷサーバと、を備え、ＷＷＷサーバは、アクセスを許可する電子証明書の所有が確認された場合にのみ所定のＷＥＢページへのアクセスを許可し、所定のＷＥＢページへのログインが成功した場合に遠隔制御機能を有効化し、赤外線送受信部は、選択された遠隔制御機能の制御内容に対応する制御信号データを、制御対象機器に送信し、ＷＷＷサーバと赤外線送受信部が、内部バスで接続されている。
【００１１】
本発明の遠隔制御方法は、制御対象機器と赤外線通信を行い、制御対象機器に関する制御信号データを制御対象機器への制御内容と関連付けて記憶し、ユーザがアクセスするＷＥＢページを提供し、アクセスを許可する電子証明書の所有が確認された場合にのみ所定のＷＥＢページへのアクセスを許可し、所定のＷＥＢページへのログインが成功した場合に遠隔制御機能を有効化し、選択された遠隔制御機能の制御内容に対応する前記制御信号データを、制御対象機器に送信する。
【発明の効果】
【００１２】
本発明の遠隔制御回路、遠隔制御装置および遠隔制御方法によれば、容易かつ安全に遠隔制御を実行することができる。
【図面の簡単な説明】
【００１３】
【図１】本発明の実施形態に係る制御装置の構成を示すブロック図である。
【図２】本発明の実施形態に係る制御システムの構成を示すブロック図である。
【図３】ユーザ設定記憶部に記憶されるデータ構成内容を示す図である。
【図４】機器データ記憶部に記憶されるデータ構成を示す図である。
【図５】学習データ記憶部に記憶されるデータ構成を示す図である。
【図６】事前準備の動作を説明するフローチャートである。
【図７】クライアント証明書を生成/取得/インストールする動作を説明するシーケンス図である。
【図８】遠隔制御を実行する動作を説明するフローチャートである。
【図９】遠隔制御を実行する動作を詳細に説明するフローチャートであり、（ａ）は機器データを基に制御内容を登録する動作、（ｂ）は赤外線学習によって制御内容を登録する動作である。
【図１０】機器データ選択による制御対象機器の制御実行を説明するシーケンス図である。
【図１１】赤外線学習による制御対象機器の制御実行を説明するシーケンス図である。
【発明を実施するための形態】
【００１４】
以下に、図面を参照しながら、本発明の実施形態および実施例について詳細に説明する。
【００１５】
なお、以下の説明では、同じ機能を有するものには同じ符号をつけ、その説明を省略する場合がある。
【００１６】
（構成）
図１は、本発明の実施形態に係る制御装置の構成を示すブロック図である。ネットワーク接続部２００は、インターネット、及びローカルネットワークへ接続するための物理レイヤを含むプロトコル変換機能を有する。
【００１７】
ユーザはＷＥＢブラウザ等のＨＴＴＰ（Ｈｙｐｅｒｔｅｘｔ Ｔｒａｎｓｆｅｒ Ｐｒｏｔｏｃｏｌ）  Ｃｌｉｅｎｔで遠隔制御装置１００にアクセスすることで、ＷＷＷサーバが出力するＷＥＢページを閲覧し、次のような設定、及び制御を行うことができる。「遠隔制御機能のＯＮ／ＯＦＦ選択」、「証明書の作成/削除」、「遠隔制御通知機能のＯＮ／ＯＦＦ選択」、「通知メールアドレスの設定」、「制御対象機器、及び制御内容の選択、及び実行」、「赤外線信号の学習」。
【００１８】
ユーザ設定記憶部２０２はＷＷＷサーバ２０１と接続している。またユーザ設定記憶部２０２は登録された制御内容の情報であるユーザ登録制御情報、及び制御対象機器の制御履歴、ユーザによる遠隔制御装置１００の動作に対する設定であるその他設定値、等を記憶する。その他の設定値としては、遠隔制御機能のＯＮ／ＯＦＦ、通知機能のＯＮ／ＯＦＦ、通知先メールアドレス等がある。図３はユーザ設定記憶部に記憶されるデータ構成内容を示す図である。
【００１９】
機器データ記憶部２０３はＷＷＷサーバ２０１と接続している。また、機器データ記憶部２０３は制御対象機器１０の識別情報、及び実行可能な制御内容と、それらに対応する制御信号データをデータベースとして記憶している。識別情報として、メーカ名、品名、型番、種類（エアコン、ＴＶ、照明等）を持ち、識別情報と制御内容（電源ＯＮ／ＯＦＦ、温度設定等）に対応した制御信号データとの対応関係を事前に記憶している。そして、ユーザに識別情報と制御内容を選択させることで、記憶した内容から制御信号データを操作し、制御に用いることができる。図４は機器データ記憶部に記憶されるデータ構成を示す図である。
【００２０】
学習データ記憶部２０４は赤外線受信部３０１と接続している。学習データ記憶部２０４は赤外線受信部３０１が受信・解析した制御信号データを記憶する。また、学習データ記憶部２０４はＷＥＢページを介して付与された任意のコメントと制御信号データを紐付けて記憶する。図５は学習データ記憶部に記憶されるデータ構成を示す図である。
【００２１】
ＷＷＷサーバ２０１は、閲覧可能なＷＥＢページを生成し、ユーザがＷＥＢページを介して送信するＨＴＴＰメッセージを受信／解析し、要求内容に応じてＷＷＷサーバ２０１に接続される各制御部の制御を行う。ＷＷＷサーバ２０１は、ユーザ設定記憶部２０２、機器データ記憶部２０３、及び学習データ記憶部２０４と接続している。ＷＷＷサーバ２０１は、ユーザ設定記憶部２０２からその他設定値、機器データ記憶部２０３から制御対象機器１０の識別情報等をよみこみ、また、学習データ記憶部２０４からは学習、記憶した制御信号データ等を読み込み、そして制御端末が本装置や制御対象機器を制御するためのＷＥＢページ生成を行う。
【００２２】
ユーザから証明書の作成要求を受けた場合、ＷＷＷサーバ２０１は証明書作成部２０５にユーザからの入力データを出力し、証明書作成部２０５はクライアント証明書を作成する。ユーザは、作成した証明書をＷＷＷサーバ２０１が生成するＷＥＢページを介して取得し、制御端末のＷＥＢブラウザの管理メモリにインストールすることで、以降、証明書の提示が必要なＷＥＢページを閲覧可能となる。
【００２３】
赤外線送受信部２１０は外部機器との赤外線通信を行う。赤外線送受信部２１０は、赤外線を発信する赤外線発信部３００と、赤外線を受信する赤外線受信部３０１と、赤外線発信部と赤外線受信部を制御する近距離通信制御部２０７とを備える。
【００２４】
近距離通信制御部２０７はＷＷＷサーバ２０１と接続されている。近距離通信制御部２０７はＷＷＷサーバ２０１から出力される制御内容に関する指示によって、赤外線発信部３００および赤外線受信部３０１への制御を行う。
【００２５】
赤外線発信部３００は近距離通信制御部２０７と接続されており、近距離通信制御部２０７からの入力に応じて、赤外線信号の発信を行う。発信する赤外線信号は制御対象機器に応じて、家電製品協会方式等の制御信号を使い分ける。
【００２６】
赤外線受信部３０１は近距離通信制御部２０７と接続されている。赤外線受信部３０１は近距離通信制御部２０７からの入力に応じて、起動/停止、及び赤外線信号の受信/解析を行う。解析した制御信号データは学習データ記憶部２０４に出力され、記憶される。
【００２７】
図２は本発明の実施形態に係る制御システムの構成を示すブロック図である。遠隔制御システム１は遠隔制御装置１００と、制御対象機器１０、宅外制御端末２０やＬＡＮ側の制御端末３０を有する。
【００２８】
制御対象機器１０は、赤外線による操作が可能な家電機器であり、宅内に設置される。宅外制御端末２０は、携帯端末やＰＣ等の制御端末であり、主に宅外で用いられる。宅外制御端末２０は遠隔制御装置１００に対してインターネット経由の接続方法で接続している。インターネット経由の接続方法は無線通信であってもよいし、有線通信であっても良い。ＬＡＮ側の制御端末３０は、宅内で使用される携帯端末やＰＣ等の制御端末であり、遠隔制御装置１００に対してＬＡＮ（Ｌｏｃａｌ  Ａｒｅａ  Ｎｅｔｗｏｒｋ）等の接続方法で接続する。ＬＡＮ等の接続方法は無線通信であってもよいし、有線通信であっても良い。遠隔制御装置１００は、一般的なブロードバンドルータの機能に加え、遠隔制御機能を備える遠隔制御装置である。
【００２９】
メール送信部２０６はＷＷＷサーバ２０１と接続している。メール送信部２０６は制御対象機器の制御が実行された際に、ユーザ設定記憶部に予め登録されている通知先メールアドレスに対して制御内容を記したテキストメッセージを送信する。
【００３０】
ＷＷＷサーバ２０１は、ユーザがＷＥＢページを介して送信するＨＴＴＰメッセージを受信／解析し、要求内容に応じてＷＷＷサーバ２０１に接続される各制御部の制御を行う。
【００３１】
（作用）
図６は事前準備の動作を説明するフローチャートである。ユーザは、遠隔制御機能を利用するための事前準備として、遠隔制御装置１００に制御端末をＬＡＮ接続し、制御端末で遠隔制御機能を制御するためのＷＥＢページＡにアクセスし（ステップＳ１）、クライアント証明書の生成/取得を行い、制御端末のＷＥＢブラウザの管理メモリにインストールを行い（ステップＳ２）、遠隔制御機能を有効化する（ステップＳ３）。また、遠隔制御が実行されたことを通知する仕組みを利用する場合、ＷＥＢページＡにて通知機能を有効化し（ステップＳ４）、通知先メールアドレスの登録を行う（ステップＳ５）。
【００３２】
図７はクライアント証明書を生成/取得/インストールの動作を説明するシーケンス図である。ユーザはＬＡＮ側の制御端末３０を介して遠隔制御装置１００が生成するＷＥＢページＡにアクセスする（ＷＥＢページＡ要求、ＷＥＢページＡ応答）。以降ユーザの操作はＷＥＢページＡ上で行われ、遠隔制御装置１００のＷＷＷサーバ２０１がユーザの操作を中継する。次にユーザはクライアント証明書作成要求と任意文字列(以後パスフレーズと呼ぶ場合がある)を送信する（証明書作成要求＋任意文字列）。クライアント証明書作成要求と任意文字列は証明書制御部２０５へ出力される（証明書作成要求＋任意文字列（パスフレーズ））。証明書制御部２０５は、クライアント証明書作成要求と任意文字列を受け付けると、クライアント証明書を生成し、別に用意する記憶部に記憶させる。次に、ＬＡＮ側の制御端末３０からクライアント証明書の取得要求を受信すると、証明書制御部２０５は作成したクライアント証明書を読み込み、ＰＫＣＳ１２形式証明書に変換し、記憶部に記憶させる。ＰＫＣＳ１２形式はＷＥＢブラウザ等のＨＴＴＰ  Ｃｌｉｅｎｔでインストール可能な形式である。また、ＰＫＣＳ１２形式証明書はＬＡＮ側の制御端末３０に送付され、ＬＡＮ側の制御端末３０にインストールされる。
【００３３】
図８は遠隔制御を実行する動作を説明するフローチャートである。ユーザは、制御対象機器の制御を実行するための専用ＷＥＢページＢに、インターネット、或いはＬＡＮを介してＨＴＴＰＳアクセス要求を行う（ステップＳ６）。この時、事前準備にて生成／インストールしたクライアント証明書を用いて、ＷＷＷサーバ２０１と制御端末３０との間でクライアント認証を行い、制御端末３０に遠隔制御を行う権利があるかどうかを確認する（ステップＳ７）。
【００３４】
クライアント認証が失敗した場合、処理を終了する。クライアント認証が成功した場合、ＷＷＷサーバ２０１はＷＥＢページＢを生成し出力する（ステップＳ８）。
【００３５】
ユーザは、ＷＥＢページＢにて制御対象機器１０の選択、制御内容の登録、制御の実行、赤外線信号の学習、制御履歴の確認、登録内容／学習内容の保存、及び復元等の制御内容に関する操作を実行できる。機器データの選択によって登録する制御内容であるユーザ登録制御情報と、学習によって登録する制御内容である学習制御情報は分けて管理する。
【００３６】
次に、ユーザ登録制御情報及び学習制御情報の登録状況を確認する（ステップＳ９）。ステップＳ９においてユーザ登録制御情報または学習制御情報が登録済みであり新たに登録しない選択をした場合、ユーザ登録制御情報及び学習制御情報を表示する。ユーザはＷＥＢページＢに表示されるユーザ登録制御情報、または学習制御情報から制御内容を任意に選択する（ステップＳ１０）。選択された制御内容は遠隔制御装置１００に送られ、実行される（ステップＳ１１）。
【００３７】
また、ステップＳ９においてユーザ登録制御情報及び学習制御情報が登録済みでない場合、または登録済みであっても新たに登録する選択をした場合、ユーザは制御内容を登録する方法である機器選択と赤外線学習のうちのいずれかを選択する（ステップＳ１２）。
【００３８】
ステップＳ１２において機器選択を選択した場合、機器データ記憶部２０３に記憶される機器データ（メーカ名、品名、型番、種類（エアコン、ＴＶ等））に基づいて制御対象機器、及び制御内容を選択し登録する（ステップＳ１３）。制御内容が登録されたらステップＳ９へ戻る。また、ステップＳ１２において赤外線学習を選択した場合、赤外線信号が学習され登録される（ステップＳ１４）。制御内容が登録されたらステップＳ９へ戻る。
【００３９】
次に、遠隔制御通知機能が有効となっているか確認する（ステップＳ１５）。遠隔制御通知機能が有効な場合、実行した制御内容を事前に設定した通知先メールアドレス宛にメールにて送付する（ステップＳ１６）。遠隔制御通知機能が無効の場合は通知はなされない。
【００４０】
次に、実行した制御内容を表示する（ステップＳ１７）。最後に、実行した制御内容を制御履歴として記録し、処理を終了する。
【００４１】
図９は、遠隔制御を実行する動作を詳細に説明するフローチャートであり、（ａ）は機器データを基に制御内容を登録する動作、（ｂ）は赤外線学習によって制御内容を登録する動作である。
【００４２】
機器データ選択は、メーカ名、品名、型番、種類、制御内容を順に選択することにより行う。選択が完了したら、選択した結果がユーザ設定記憶部２０２に登録される。
【００４３】
赤外線学習は、赤外線受信部を起動し、信号を受信することにより行う。信号受信に失敗した場合、学習失敗として処理を終了する。信号受信に成功した場合、次に受信信号の解析を行う。解析が失敗した場合、学習失敗として処理を終了する。解析が成功した場合、次に学習した制御信号を知らせるＷＥＢページＣを表示する。最後に、学習した制御信号データにコメントが付与され、学習データ記憶部２０４に記憶する。
【００４４】
図１０は、機器データ選択による制御対象機器の制御実行を説明するシーケンス図である。はじめに、ユーザは宅外の制御端末２０から遠隔制御装置１００が生成するＷＥＢページＢにアクセスする（３ｗａｙ  ｈａｎｄｓｈａｋｅ、ＳＳＬクライアント認証、ＷＥＢページＢ取得）。宅外の制御端末２０からアクセスがあると、ＷＷＷサーバ２０１は、学習データ記憶部２０４、機器データ記憶部２０３、ユーザ設定記憶部２０２からデータを読み込み（学習データ読み込み、機器データ読み込み、ユーザ設定読み込み）、ＷＥＢページＢへ出力する（ＷＥＢページＢ応答）。
【００４５】
制御内容登録を行う場合、ユーザはＷＥＢページＢから機器データを選択し、選択した機器への制御内容を登録する（制御内容登録）。登録された制御内容はユーザ登録制御情報としてＷＷＷサーバ２０１を経由し、ユーザ設定記憶部２０２に記憶される（ユーザ設定更新（ユーザ登録制御情報））。その後、ＷＷＷサーバ２０１は、新たにユーザ学習データ記憶部２０４、機器データ記憶部２０３、設定記憶部２０２からデータを読み込み（学習データ読み込み、機器データ読み込み、ユーザ設定読み込み）、ＷＥＢページＢへ出力する（ＷＥＢページＢ応答）。
【００４６】
制御要求を行う場合、ユーザはＷＥＢページＢから制御内容を選択する（制御要求）。制御要求があると、ＷＷＷサーバ２０１は選択された制御内容の制御信号データを近距離通信制御部２０７に出力する（制御データ（制御信号データ））。近距離通信制御部２０７は赤外線発信部３００を起動させ、制御信号データに基づいた赤外線信号を赤外線発信部３００に発信させる（制御（起動、制御信号データ）、（信号発信））。次に、ＷＷＷサーバ２０１は制御内容をユーザ設定記憶部２０２に出力する。ユーザ設定記憶部２０２は制御内容を制御履歴として記憶する（ユーザ設定更新（制御履歴））。その後、ＷＷＷサーバ２０１は宅外の制御端末２０にユーザが選択した制御を実行したことを通知する（受け付け応答）。
【００４７】
また、遠隔制御通知機能が有効な場合、ＷＷＷサーバ２０１がメール送信部２０６に制御内容を出力し、メール送信部２０６にメール送信を実施させる構成とすることとしてよい。
【００４８】
図１１は、赤外線学習による制御対象機器の制御実行を説明するシーケンス図である。はじめに、ユーザは宅外の制御端末２０から遠隔制御装置１００のＷＥＢページＢにアクセスする３ｗａｙ  ｈａｎｄｓｈａｋｅ、ＳＳＬクライアント認証、ＷＥＢページＢ取得）。宅外の制御端末２０からアクセスがあると、ＷＷＷサーバ２０１は、学習データ記憶部２０４、機器データ記憶部２０３、ユーザ設定記憶部２０２からデータを読み込み（学習データ読み込み、機器データ読み込み、ユーザ設定読み込み）、ＷＥＢページＢへ出力する（ＷＥＢページＢ応答）。
【００４９】
赤外線学習を行う場合、ユーザは宅外制御端末２０に表示されたＷＥＢページＢから赤外線学習開始を要求する（赤外線学習開始要求）。赤外線学習開始要求があると、ＷＷＷサーバ２０１は近距離通信制御部２０７に赤外線学習の要求を行う（赤外線学習要求）。赤外線学習要求があると、近距離通信制御部２０７は赤外線受信部３０１を起動させ、赤外線信号の受信を開始させる（制御（起動））。ＷＷＷサーバ２０１は学習状況を示すＷＥＢページＣを宅外制御端末２０に出力する（ＷＥＢページＣ応答（学習中））。赤外線信号を受信すると、赤外線受信部３０１は制御信号データの解析を行い、解析結果を学習した制御信号データとしてＷＷＷサーバ２０１に通知する（赤外線受信／解析成功通知）。学習した制御信号データの通知があると、ＷＷＷサーバ２０１は学習した制御信号データの通知を元にＷＥＢページＣの出力内容を更新する（ＷＥＢページＣ応答（学習結果））。一定の時間が経過したら近距離通信制御部２０７は赤外線受信部３０１を停止させる（制御（停止））。
【００５０】
学習データ登録を行う場合、ユーザは宅外の制御端末２０から学習した制御信号データへコメントを付加した上で、学習した制御信号データをＷＷＷサーバ２０１へ送信操作する（学習データ登録要求）。学習データ登録要求があると、ＷＷＷサーバ２０１はコメントが付与された学習した制御信号データを学習データ記憶部２０４へ出力する。学習データ記憶部２０４はコメントが付与された学習した制御信号データを学習データとして記憶する（学習制御情報更新）。その後、ＷＷＷサーバ２０１は、新たに学習データ記憶部２０４、機器データ記憶部２０３、ユーザ設定記憶部２０２からデータを読み込み（学習データ読み込み、機器データ読み込み、ユーザ設定読み込み）、ＷＥＢページＢへ出力する（ＷＥＢページＢ応答）。
【００５１】
制御要求を行う場合、ユーザはＷＥＢページＢから制御内容を選択する（制御要求）。制御要求があると、ＷＷＷサーバ２０１は選択された制御内容の制御信号データを近距離通信制御部２０７に出力する（制御データ（制御信号データ））。近距離通信制御部２０７は赤外線発信部３００を起動させ、制御信号データに基づいた赤外線信号を赤外線発信部３００に発信させる。次に、ＷＷＷサーバ２０１は制御内容をユーザ設定記憶部２０３に出力する。ユーザ設定記憶部２０３は制御内容を制御履歴として記憶する。その後、ＷＷＷサーバ２０１は宅外の制御端末２０にユーザが選択した制御を実行したことを通知する（受け付け応答）。
【００５２】
上記のように、ユーザは遠隔制御装置１００のＷＷＷサーバ２０１が出力するＷＥＢページを操作することによって、家電等の制御対象機器を遠隔から操作することが可能となる。
【００５３】
（効果）
本発明の遠隔制御装置は、遠隔制御の起点がブロードバンドルータに含まれる。また、遠隔制御をＨＴＴＰ  ｏｖｅｒ  ＳＳＬ（Ｓｅｃｕｒｅ  Ｓｏｃｋｅｔ  Ｌａｙｅｒ）／  ＴＬＳ（Ｔｒａｎｓｐｏｒｔ  Ｌａｙｅｒ  Ｓｅｃｕrity)プロトコルによって実現している。ユーザからの制御にＷＥＢブラウザ、かつＳＳＬによる制御端末の認証を導入することで、高い安全性と操作容易性を実現している。ネットワーク接続機能、及びＨＴＴＰＳ通信機能を備えた制御端末から、容易・かつ安全に遠隔制御を実行できる。
【００５４】
また、遠隔制御にＷＥＢブラウザ等のＨＴＴＰ  ｃｌｉｅｎｔを用いることができるので、ユーザは直感的で動的なインタフェースによって遠隔制御を容易に実行することができる。
【００５５】
さらに、遠隔制御の実行時に所定のメールアドレスに通知を行うことができるので、ユーザは自身の制御内容を確認できることに加え、他者による遠隔制御の実行も確認できる。このため、第三者による不正アクセスを検出することができる。
【００５６】
加えて、制御対象機器の操作に赤外線技術を用いるので、既存の赤外線対応機器を制御対象とすることができるので、ユーザは容易に宅内での遠隔制御サービスを実現することができる。
（その他の実施形態） 
赤外線発信部３００を外部接続とすることで、本装置よりも距離の離れた場所の制御対象機器を制御することができる。赤外線発信部３００と近距離通信制御部２０７との接続を無線接続とすることで、遠隔制御の有効範囲を広げることができる。
【００５７】
また、赤外線発信部３００を複数とし、制御信号の発信を個別制御することによって、単体の赤外線発信部３００の有効範囲を超える広範囲に設置された制御対象機器を制御することができる。
【００５８】
また、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）等による近距離無線通信部を加え、その認証機能を利用すれば、クライアント証明書の生成/取得/インストール、及び遠隔制御機能の有効化操作を、遠隔制御装置１００と近距離無線通信に対応した制御端末を近づけるだけといった、より簡易かつ安全に実現することもできる。
【００５９】
本発明は上記実施形態に限定されることなく、特許請求の範囲に記載の発明の範囲内で、種々の変形が可能であり、それらも本発明の範囲内に含まれるものであることはいうまでもない。
【００６０】
上記の実施形態および実施例の一部または全部は、以下の付記のように記載されうるが、以下に限られない。
【００６１】
（付記１）
制御対象機器と赤外線通信を行う赤外線送受信部と、
前記制御対象機器に関する制御信号データを前記制御対象機器への制御内容と関連付けて記憶する学習データ記憶部と、
ユーザがアクセスするＷＥＢページを提供するＷＷＷサーバと、
を備え、
前記ＷＷＷサーバは、
前記アクセスを許可する電子証明書の所有が確認された場合にのみ所定のＷＥＢページへのアクセスを許可し、
前記所定のＷＥＢページへのログインが成功した場合に遠隔制御機能を有効化し、
前記赤外線送受信部は、
選択された前記遠隔制御機能の制御内容に対応する前記制御信号データを、前記制御対象機器に送信し、
前記ＷＷＷサーバと前記赤外線送受信部が、内部バスで接続されている
ことを特徴とする遠隔制御装置。
【００６２】
（付記２）
前記遠隔制御機能の有効化とは、前記制御内容の一覧表示を含むことを特徴とする付記１に記載の遠隔制御装置。
【００６３】
（付記３）
前記電子証明書を作成する証明書制御部をさらに備え、
前記ＷＷＷサーバは、
所定のＷＥＢページに要求された前記電子証明書作成を受け付け、
前記証明書制御部が作成した電子証明書を取得させ、
前記電子証明書を取得した端末に前記電子証明書をインストールさせる
ことを特徴とする付記１または２に記載の遠隔制御装置。
【００６４】
（付記４）
前記赤外線送受信部は、近距離通信制御部,赤外線発信部,赤外線受信部を含み、
前記近距離通信制御部は、対応する制御信号を生成する機能を備える
ことを特徴とする付記１から３のいずれか１項に記載の遠隔制御装置。
【００６５】
（付記５）
ユーザ設定記憶部は、制御履歴および登録された制御内容を表すユーザ登録制御情報を記憶する
ことを特徴とする付記１から４のいずれか１項に記載の遠隔制御装置。
【００６６】
（付記６）
前記制御信号データが、前記制御対象機器に送信された場合に、予め設定された宛先に前記制御内容を送信するメール送信部
をさらに備える
ことを特徴とする付記１から５のいずれか１項に記載した遠隔制御装置。
【００６７】
（付記７）
前記制御対象機器を識別する情報及び制御内容と制御信号との対応関係を表す機器データを記憶する機器データ記憶部
を備えることを特徴とする付記１から６のいずれか１項に記載した遠隔制御装置。
【００６８】
（付記８）
前記ＷＷＷサーバは、前記遠隔制御機能が未登録の場合に前記機器データの中から所定の制御信号の選択または赤外線の学習を行う
ことを特徴とする付記１から７のいずれか1項に記載した遠隔制御装置。
【００６９】
（付記９）
前記機器データの中から制御信号の選択は、メーカ名、品名、種類、制御内容に対して行われる
ことを特徴とする付記８に記載した遠隔制御装置。
【００７０】
（付記１０）
前記赤外線の学習は、赤外線送受信部を起動し、信号を受信することにより行う
ことを特徴とする付記８に記載した遠隔制御装置。
【００７１】
（付記１１）
付記１に記載の遠隔制御装置を含むルータ。
【００７２】
（付記１２）
付記１に記載の遠隔制御装置と、前記制御対象機器と、前記電子証明書を取得した端末、
とを備えることを特徴とする遠隔制御システム。
【００７３】
（付記１３）
制御対象機器と赤外線通信を行い、
前記制御対象機器に関する制御信号データを前記制御対象機器への制御内容と関連付けて記憶し、
ユーザがアクセスするＷＥＢページを提供し、
前記アクセスを許可する電子証明書の所有が確認された場合にのみ所定のＷＥＢページへのアクセスを許可し、
前記所定のＷＥＢページへのログインが成功した場合に遠隔制御機能を有効化し、
選択された前記遠隔制御機能の制御内容に対応する前記制御信号データを、前記制御対象機器に送信する、
遠隔制御方法。
【符号の説明】
【００７４】
１    遠隔制御システム
１０    制御対象機器
２０    宅外制御端末
３０    ＬＡＮ側の制御端末
１００    遠隔制御装置
２０１    ＷＷＷサーバ
２０２    ユーザ設定記憶部
２０３    機器データ記憶部
２０４    学習データ記憶部
２０５    証明書作成部
２０６    メール送信部
２０７    近距離通信制御部
２１０    赤外線送受信部
３００    赤外線発信部
３０１    赤外線受信部
【図１】
2015142315.tif 000003
【図２】
2015142315.tif 000004
【図３】
2015142315.tif 000005
【図４】
2015142315.tif 000006
【図５】
2015142315.tif 000007
【図６】
2015142315.tif 000008
【図７】
2015142315.tif 000009
【図８】
2015142315.tif 000010
【図９】
2015142315.tif 000011
【図１０】
2015142315.tif 000012
【図１１】
2015142315.tif 000013